(57)【要約】【課題】放射能汚染物を収容し放射線汚染物からの放射線が外部に放射されるのを阻止して輸送する放射線遮蔽運送用コンテナを提供する。【解決手段】該放射線遮蔽運搬用コンテナは、コンテナの各壁面が、鋼鉄製の外板と内板との２重構造とされ、前記外板と内板間の間隙に、タングステン粉末と、エラストマー前躯体及びリチウム化合物との混合物からなる塗布型放射線遮蔽材を注入固化されてなるものである。【選択図】  図１
2015166719.tif 000002
【特許請求の範囲】
【請求項１】
フレコン等の収納容器に収納された放射能汚染物を収容積載して輸送する直方体形の放射線遮蔽運搬用コンテナであって、
該コンテナの各壁面が鋼鉄製の外板と内板との２重構造とされ、前記外板と内板間の間隙に、タングステン粉末と、エラストマー前躯体及びリチウム化合物との混合物からなる塗布型放射線遮蔽材が注入固化されてなることを特徴とする放射線遮蔽運搬用コンテナ。
【請求項２】
フレコン等の収納容器に収納された放射能汚染物を収容積載して輸送する直方体形の放射線遮蔽運搬用コンテナであって、
該コンテナの後方壁面を除く各壁面が鋼鉄製の外板と内板との２重構造とされ、前記外板と内板間の間隙に、タングステン粉末と、エラストマー前躯体及びリチウム化合物との混合物からなる塗布型放射線遮蔽材が注入固化されてなり、かつ前記コンテナに設られ、前記放射能汚染物が収納されたフレコン等の収納容器を該コンテナに積み下ろしするための開閉扉も外板と内板との２枚の鋼板とその間に前記タングステン粉末と、エラストマー前躯体及びリチウム化合物との混合物からなる塗布型放射線遮蔽材が挟層されて形成されてなることを特徴とする放射線遮蔽運搬用コンテナ。
【請求項３】
コンテナの各壁面及び開閉扉の外板と内板の内外面に亜鉛メッキを施してなることを特徴とする請求項１又は２に記載の放射線遮蔽運搬用コンテナ。
【請求項４】
コンテナの各壁面及び開閉扉の外板を構成する鋼板の厚みが３．２〜１０ｍｍ、コンテナの隔壁面及び開閉扉の内板を構成する鋼板の厚みが５〜１５ｍｍ、コンテナ及び開閉扉の外板と内板との間隙に挟層された塗布型放射線遮蔽材の厚みが５〜１５ｍｍであることを特徴とする請求項１〜３のいずれか１項に記載の放射線遮蔽運搬用コンテナ。
【請求項５】
放射能汚染物が収納されたフレコン等の収納容器をコンテナに収容した後、前記開閉扉を閉鎖した際、コンテナと開閉扉との間に間隙が生じないよう前記塗布型放射線遮蔽材を配設してシールドされてなることを特徴とする請求項２に記載の放射線遮蔽運搬用コンテナ。
【請求項６】
コンテナの各側壁の内板と底面の内板との接合部に、断面が直角三角形状の筒状体の内部に前記塗布型放射線遮蔽材を流入固化した補強材を巡らして固着してなることを特徴とする請求項１〜５のいずれか１項に記載の放射線遮蔽運搬用コンテナ。
【請求項７】
塗布型放射線遮蔽材のエラストマー前躯体とタングステン粉末との配合比が、固形分として５：９５〜２０：８０（重量部比）であることを特徴とする請求項１〜６のいずれか１項に記載の放射線遮蔽運搬用コンテナ。
【請求項８】
エストラマー前駆体とタングステン粉末との混合物１００重量部に対して、リチウム化合物が０．１〜２．０重量部配合されてなることを特徴とする請求項１〜６のいずれか１項に記載の放射線遮蔽運搬用コンテナ。
【請求項９】
コンテナ前端上面中央部に、該コンテナを脱着ボデー車等の輸送用車両に搭載する際に前記輸送用車両のクレーンのアームを係止するフックを備え  該コンテナの下面後部には前記輸送用車両のクレーンのアームの作用によって前記コンテナが前記輸送用車両に引き上げられる際に使用される左右一対の車輪が、また下面前部にはコンテナを安定して載置するために使用される左右一対の固定脚が備えられてなることを特徴とする請求項１〜８のいずれか１項に記載の放射線遮蔽運搬用コンテナ。
【発明の詳細な説明】
【技術分野】
【０００１】
放射能汚染物を収容し放射線汚染物からの放射線が外部に放射されるのを阻止して輸送する放射線遮蔽運送用コンテナに関する。
【背景技術】
【０００２】
昨今、原子力発電所の事故による放射能汚染物質の処分が問題となっており、その汚染物質を処分場に移送するためにトラックが使用されている。
しかるに、トラックの荷台は従来のものであるため、積載された放射能汚染物質から常時放射線が外部に放射される状態で市街地等を通過し、住民等が放射能被爆を受ける危険があった。
そこで、放射能汚染物質を移送する際に、放射能漏れのない安全な移送手段が必要とされる。
【発明の概要】
【発明が解決しようとする課題】
【０００３】
本発明は、放射能汚染物質を処分場に移送する際に、住民等に放射能被爆を与えることのない安全な移送手段を提供しようとするものである。
【課題を解決するための手段】
【０００４】
本発明者らは、上記課題を下記の手段によって解決した。
（１）フレコン等の収納容器に収納された放射能汚染物を収容積載して輸送する直方体形の放射線遮蔽運搬用コンテナであって、
該コンテナの各壁面が鋼鉄製の外板と内板との２重構造とされ、前記外板と内板間の間隙に、タングステン粉末と、エラストマー前躯体及びリチウム化合物との混合物からなる塗布型放射線遮蔽材が注入固化されてなることを特徴とする放射線遮蔽運搬用コンテナ。
【０００５】
（２）フレコン等の収納容器に収納された放射能汚染物を収容積載して輸送する直方体形の放射線遮蔽運搬用コンテナであって、
該コンテナの後方壁面を除く各壁面が鋼鉄製の外板と内板との２重構造とされ、前記外板と内板間の間隙に、タングステン粉末と、エラストマー前躯体及びリチウム化合物との混合物からなる塗布型放射線遮蔽材が注入固化されてなり、かつ前記コンテナに設られ、前記放射安濃汚染物が収納されたフレコン等の収納容器を該コンテナに積み下ろしするための開閉扉も外板と内板との２枚の鋼板とその間に前記タングステン粉末と、エラストマー前躯体及びリチウム化合物との混合物からなる塗布型放射線遮蔽材が挟層されて形成されてなることを特徴とする放射線遮蔽運搬用コンテナ。
【０００６】
（３）コンテナの各壁面及び開閉扉の外板と内板の内外面に亜鉛メッキを施してなることを特徴とする（１）又は（２）に記載の放射線遮蔽運搬用コンテナ。
（４）コンテナの各壁面及び開閉扉の外板を構成する鋼板の厚みが３．２〜１０ｍｍ、コンテナの隔壁面及び開閉扉の内板を構成する鋼板の厚みが５〜１５ｍｍ、コンテナ及び開閉扉の外板と内板との間隙に挟層された塗布型放射線遮蔽材の厚みが５〜１５ｍｍであることを特徴とする（１）〜（３）のいずれか１項に記載の放射線遮蔽運搬用コンテナ。
【０００７】
（５）放射能汚染物が収納されたフレコン等の収納容器をコンテナに収容した後、前記開閉扉を閉鎖した際、コンテナと開閉扉との間に間隙が生じないよう前記塗布型放射線遮蔽材を配設してシールドされてなることを特徴とする（２）に記載の放射線遮蔽運搬用コンテナ。
（６）コンテナの各側壁の内板と底面の内板との接合部に、断面が直角三角形状の筒状体の内部に前記塗布型放射線遮蔽材を流入固化した補強材を巡らして固着してなることを特徴とする（１）〜（５）のいずれか１項に記載の放射線遮蔽運搬用コンテナ。
【０００８】
（７）塗布型放射線遮蔽材のエラストマー前躯体とタングステン粉末との配合比が、固形分として５：９５〜２０：８０（重量部比）であることを特徴とする（１）〜（６）のいずれか１項に記載の放射線遮蔽運搬用コンテナ。
（８）エストラマー前駆体とタングステン粉末との混合物１００重量部に対して、リチウム化合物が０．１〜２．０重量部配合されてなることを特徴とする（１）〜（６）のいずれか１項に記載の放射線遮蔽運搬用コンテナ。
【０００９】
（９）コンテナ前端上面中央部に、該コンテナを脱着ボデー車等の輸送用車両に搭載する際に前記輸送用車両のクレーンのアームを係止するフックを備え  該コンテナの下面後部には前記輸送用車両のクレーンのアームの作用によって前記コンテナが前記輸送用車両に引き上げられる際に使用される左右一対の車輪が、また下面前部にはコンテナを安定して載置するために使用される左右一対の固定脚が備えられてなることを特徴とする（１）〜（８）のいずれか１項に記載の放射線遮蔽運搬用コンテナ。
【発明の効果】
【００１０】
〈１〉フレコン等の収納容器に収納された放射能汚染物を収容積載して輸送する直方体形の放射線遮蔽運搬用コンテナであって、
該コンテナの各壁面が鋼鉄製の外板と内板との２重構造とされ、前記外板と内板間の間隙に、タングステン粉末と、エラストマー前躯体及びリチウム化合物との混合物からなる塗布型放射線遮蔽材が注入固化されているので、極めて高い放射線遮蔽効果が得られる。
〈２〉フレコン等の収納容器に収納された放射能汚染物を収容積載して輸送する直方体形の放射線遮蔽運搬用コンテナであって、
該コンテナの後方壁面を除く各壁面が鋼鉄製の外板と内板との２重構造とされ、前記外板と内板間の間隙に、タングステン粉末と、エラストマー前躯体及びリチウム化合物との混合物からなる塗布型放射線遮蔽材が注入固化されてなり、かつ前記コンテナに設られ、前記放射安濃汚染物が収納されたフレコン等の収納容器を該コンテナに積み下ろしするための開閉扉も外板と内板との２枚の鋼板とその間に前記タングステン粉末と、エラストマー前躯体及びリチウム化合物との混合物からなる塗布型放射線遮蔽材が挟層されて形成されてなり、かつ前記開閉扉を閉鎖した際、コンテナと開閉扉との間に間隙が生じないよう前記塗布型放射線遮蔽材を配設してシールドされるので、極めて高い放射線遮蔽効果が得られる。
〈３〉コンテナの各壁面及び開閉扉の外板と内板の内外面に亜鉛メッキを施してなるので上記〈１〉、〈２〉の効果を一層高めることができる。
〈４〉コンテナの各壁面及び開閉扉の外板を構成する鋼板の厚みが３．２〜１０ｍｍ、コンテナの隔壁面及び開閉扉の内板を構成する鋼板の厚みが５〜１５ｍｍ、コンテナ及び開閉扉の外板と内板との間隙に挟層された塗布型放射線遮蔽材の厚みが５〜１５ｍｍであるので、上記〈１〉〜〈３〉の効果を維持しつつコンテナの重量軽減が図れる。
〈５〉コンテナの各側壁の内板と底面の内板との接合部に、断面が直角三角形状の筒状体の内部に前記塗布型放射線遮蔽材を流入固化した補強材を巡らして固着しているので、各側壁の内板と底面の内板との接合部に亀裂が発生し放射線が漏洩するおそれがなくなる。
【００１１】
〈６〉コンテナ前端上面中央部に、該コンテナを脱着ボデー車等の輸送用車両に搭載する際に前記輸送用車両のクレーンのアームを係止するフックを備え  該コンテナの下面後部には前記輸送用車両のクレーンのアームの作用によって前記コンテナが前記輸送用車両に引き上げられる際に使用される左右一対の車輪が、また下面前部にはコンテナを安定して載置するために使用される左右一対の固定脚が備えられているので、該コンテナの輸送車両への積み下しが容易に実施できる。
【図面の簡単な説明】
【００１２】
【図１】本発明の放射線遮蔽運搬用コンテナ実施例の側面図
【図２】本発明の放射線遮蔽運搬用コンテナ実施例の横断面図
【図３】本発明の放射線遮蔽運搬用コンテナの使用方法の説明図
【発明を実施するための形態】
【００１３】
本発明の放射線遮蔽運搬用コンテナを実施するための形態を実施例の図に基づいて説明する。
図１は本発明の放射線遮蔽運搬用コンテナ実施例の側面図、図２は本発明の放射線遮蔽運搬用コンテナ実施例の横断面図、図３は本発明の放射線遮蔽運搬用コンテナの使用方法の説明図である。
図において１は放射線遮蔽運搬用コンテナ、２はコンテナ、２ａは外板、２ｂは内板、２ｃは塗布型放射線遮蔽材、２ｄは内板と底板との接合部の補強材、２ｅはコンテナ本体の補強用鋼鉄製角材、３はフック係止部、４は車輪、５は脚体、１０は輸送用車両、１１はクレーン、１２はアーム、１３はローラーである。
【００１４】
本発明の放射線遮蔽運搬用コンテナは図１、図２に示すように、フレコン等の収納容器に収納された放射能汚染物を収容積載して輸送する直方体形の放射線遮蔽運搬用コンテナであって、
該コンテナの各壁面が図２に示すように、鋼鉄製の外板２ａと内板２ｂとの２重構造とされ、前記外板２ａと内板２ｂ間の間隙に、タングステン粉末と、エラストマー前躯体及びリチウム化合物との混合物からなる塗布型放射線遮蔽材２ｃが注入固化され、コンテナの各壁面の外板２ａと内板２ｂの内外面に亜鉛メッキが施されている。
そして、コンテナの各側壁の内板２ｂと底面の内板２ｂ’との接合部に、断面が直角三角形状の筒状体の内部に前記塗布型放射線遮蔽材を流入固化した補強材２ｄを巡らし固着されている。
なお、本実施例では塗布型放射線遮蔽材３ｃの原料としては
（ａ）エラストマー前駆体
一液ＲＴＶゴム…信越化学工業（株）製：ＫＥ−４８９５−Ｔ（以下「ＫＥ４８９５」と称する）室温硬化型シリコーンゴム。粘度５００ｍＰａ・ｓ、
（ｂ）タングステン粉末、
タングステン粉末：（株）アライドマテリアル製：タングステン粉Ｃ２０（以下「Ｃ２０」と称する）
（ｃ）リチウム化合物
酢酸リチウム…和光純薬工業（株）製：酢酸リチウム（以下「酢酸リチウム」と称する）
を用いた。
そして、上記原料による塗布型放射線遮蔽材３ｃの作製は、混合機としてプライミクス（株）製の混合機「Ｔ．Ｋ．ホモディスパーＭｏｄｅｌ２．５（俗称ラボディスパー）」を使用し、
上記ＫＥ４８９５（室温硬化型シリコーンゴム）８重量部に対して上記Ｃ２０（タングステン粉末）９２重量部を添加し、１５分攪拌混合した後、上記酢酸リチウム水溶液（酢酸リチウム１６．５重量％）４重量部を添加して５分攪拌混合することによって実施した。
【００１５】
また、図１に見られるように、コンテナ前端上面中央部には該コンテナを脱着ボデー車等の輸送用車両に搭載する際に前記輸送用車両のクレーンのアームを係止するフックを備え  該コンテナの下面後部には前記輸送用車両のクレーンのアームの作用によって前記コンテナが前記輸送用車両に引き上げられる際に使用される左右一対の車輪が、また下面前部にはコンテナを安定して載置するために使用される左右一対の固定脚が備えられており、前記コンテナの運送用車両への積み下ろしを容易にしている。
【００１６】
図１に示した放射線遮蔽輸送用コンテナ１にあっては、前記放射線汚染物が収納されたフレコン等の収納容器を該コンテナに積み下ろしするための開閉扉が後部に設けられているが、この開閉扉も外板と内板との２枚の鋼板の間に前記タングステン粉末と、エラストマー前躯体及びリチウム化合物との混合物からなる塗布型放射線遮蔽材が挟層されて形成されており、かつ前記開閉扉を閉鎖した際、コンテナと開閉扉との間に間隙が生じないよう前記塗布型放射線遮蔽材を配設して、開閉扉部分からの放射線漏洩を防止している。
【００１７】
本発明の放射線遮蔽運搬用コンテナ１の運搬用車両１０への搭載は次の手順によって行われる。
（ａ）地上に配置された放射線遮蔽運搬用コンテナ１のフック係止部３に運搬用車両１０のクレーン１１のアーム１２の先端のフックを係止する。
（ｂ）運搬用車両１０のクレーン１１を操作し、前記放射線遮蔽運搬用コンテナ１の前方を持ち上げるとともに、運搬用車両１０の方に引き寄せ、放射線遮蔽運搬用コンテナ１の底面を前記運搬用車両１０後端部に備えたローラ１３上に当接させる。このとき放射線遮蔽運搬用コンテナ１下面後部の一対の車輪４が回転して、前記クレーン１１の牽引力の軽減に寄与する。
（ｃ）クレーン１１のさらなる牽引により、放射線遮蔽運搬用コンテナ１が前記ローラ１３によって前方に送られるとともに後部も持ち上がり運搬用車両１０の荷台に載置される。
放射線遮蔽運搬用コンテナ１を運搬用車両１０から降ろす時には、前記クレーンによって放射線遮蔽運搬用コンテナ１の前部を持ち上げながら後方に伸ばしつつ前記運搬車両１０を緩やかに前進させて、放射線遮蔽運搬用コンテナ１後部の車輪４を着地させ、放射線遮蔽運搬用コンテナ１の前部が荷台の外に出てから、クレーン１１操作によって放射線遮蔽運搬用コンテナ１前部の脚体５を着地させ、クレーン１１のアーム１２先端のフックをフック係止部３から外すことによって終了する。
【符号の説明】
【００１８】
１：放射線遮蔽運搬用コンテナ
２：コンテナ
２ａ：外板
２ｂ：内板
２ｃ：塗布型放射線遮蔽材
２ｄ：内板と底板との接合部の補強材
２ｅ：コンテナ本体の補強用鋼鉄製角材
３：フック係止部
４：車輪
５：脚体
１０：輸送用車両
１１：クレーン
１２：アーム
１３：ローラー
【図１】
2015166719.tif 000003
【図２】
2015166719.tif 000004
【図３】
2015166719.tif 000005